(57)【要約】    【課題】作業ベルトが腰に巻かれている状態においても、作業ベルトに取り付けできる工具差し１８の提供。    【解決手段】工具差し１８は、本体プレート２０と、掛吊部２２とを備えている。この本体プレート２０は、上部横板３０、下部横板３２及び２枚の外側縦板３４からなる外枠２４と、スリット２６と、中央縦板２８とを備えている。この外枠２４は、通し口３６を備えている。この通し口３６は、この本体プレート２０の外側とこのスリット２６との間に位置している。この通し口３６は、一方の外側縦板３４の上部横板３０の側と、他方の外側縦板３４の下部横板３２の側とに配置されている。作業ベルトが一方の通し口３６を通じてスリット２６に挿入された後、他方の通し口３６を通じて別のスリット２６に挿入されることで、この工具差し１８は作業ベルトに装着される。【選択図】図１
0003110955.tif 000002
【実用新案登録請求の範囲】
【請求項１】
作業ベルトに装着される本体プレートと、工具が掛けられて吊される掛吊部とを備えており、
この本体プレートが、上部横板、下部横板及び二枚の外側縦板からなる外枠と、スリットとを備えており、
この外枠が、通し口を備えており、
この通し口が、この本体プレートの外側とこのスリットとの間に位置している工具差し。
【請求項２】
上記通し口が、上記外枠において、一方の外側縦板の上部横板側と、他方の外側縦板の下部横板側とに配置されている請求項１に記載の工具差し。
【請求項３】
上記通し口が、上記外枠において、上部横板の一方の外側縦板側と、下部横板の他方の外側縦板側とに配置されている請求項１に記載の工具差し。
【請求項４】
上記通し口が、上記外枠において、下部横板の一方の外側縦板側と他方の外側縦板側とに配置されている請求項１に記載の工具差し。
【考案の詳細な説明】
【技術分野】
【０００１】
本考案は、建設現場、工事現場、高所作業現場等の作業者が、工具を携帯する目的で作業ベルトに取り付ける工具差しに関する。
【背景技術】
【０００２】
建築現場の作業者は、作業の都合上、ハンマー、バール、レンチ等の工具を常に携帯する必要がある。この携帯のために、工具差し（「ツールフック」とも称されている）が用いられる。図９は、従来の工具差し２が作業ベルト４及びハンマー６と共に示された斜視図である。この工具差し２は、本体プレート８とリング１０とを備えている。リング１０は、溶接によって本体プレート８に固定されている。本体プレート８は、二本のスリット１２を備えている。このスリット１２に、作業ベルト４が通されている。作業者が作業ベルト４を胴に巻くと、工具差し２は腰の近傍に位置する。右利きの作業者の場合、腰の左側寄りに工具差し２を位置させるのが一般的である。リング１０には、ハンマー６の柄１４が挿通されている。リング１０の内径はハンマー６のヘッド１６の長さよりも小さいので、ヘッド１６はリング１０に引っ掛かる。このように吊された状態で、ハンマー６が携帯される。
【考案の開示】
【考案が解決しようとする課題】
【０００３】
工具差しには、携帯される工具に応じた様々な形状の掛吊部が備えられる。作業者は、作業で用いる工具に好適な形状とされた掛吊部が備えられた工具差しを選定し、作業ベルトに装着する。
【０００４】
作業途中で、使用工具の追加が必要となり、作業者が作業ベルトに装着される工具差しを追加する場合がある。使用工具の変更が必要となり、工具差しが取り替えられる場合もある。
【０００５】
工具差しが作業ベルトに装着されるには、作業ベルトの端がスリットに挿入されなければならない。工具差しが作業ベルトから取り外されるには、作業ベルトの端がスリットから抜かれなければならない。したがって、工具差しが装着された作業ベルトが腰に巻かれると、この作業ベルトが腰から外されない限り、作業者はこの工具差しを作業ベルトに装着することも、取り外すこともできない。作業ベルトに長さ調整用のストッパーが装着されていれば、作業者はこのストッパーも取り外さなければ、工具差しの装着及び取り外しはできない。作業ベルトが腰に巻かれた状態では、工具差しの追加及び変更ができないという問題がある。
【０００６】
本考案の目的は、作業ベルトが腰に巻かれている状態においても、作業ベルトに装着されうる工具差しの提供にある。
【課題を解決するための手段】
【０００７】
本考案に係る工具差しは、作業ベルトに装着される本体プレートと、工具が掛けられて吊される掛吊部とを備えている。この本体プレートは、上部横板、下部横板及び二枚の外側縦板からなる外枠と、スリットとを備えている。この外枠は、通し口を備えている。この通し口は、この本体プレートの外側とこのスリットとの間に位置している。
【０００８】
好ましくは、この工具差しでは、上記通し口は、上記外枠において、一方の外側縦板の上部横板側と、他方の外側縦板の下部横板側とに配置されている。
【０００９】
好ましくは、この工具差しでは、上記通し口は、上記外枠において、上部横板の一方の外側縦板側と、下部横板の他方の外側縦板側とに配置されている。
【００１０】
好ましくは、この工具差しでは、上記通し口は、上記外枠において、下部横板の一方の外側縦板側と他方の外側縦板側とに配置されている。
【考案の効果】
【００１１】
この工具差しは、本体プレートの外側とスリットとが繋がれる通し口を備えているので、作業ベルトが腰に巻かれている状態においても、工具差しの追加及び変更ができる。
【考案を実施するための最良の形態】
【００１２】
以下、適宜図面が参照されつつ、好ましい実施形態に基づいて本考案が詳細に説明される。
【００１３】
図１は、本考案の一実施形態に係る工具差し１８が示された斜視図である。この工具差し１８は、本体プレート２０及び掛吊部２２を備えている。本体プレート２０は、作業ベルト４に装着される。掛吊部２２には、工具が掛けられて吊される。
【００１４】
本体プレート２０は、縦長の略矩形である。この本体プレート２０は、外枠２４と、二本のスリット２６と、中央縦板２８とを備えている。この二本のスリット２６は、上下方向に、かつ互いに平行に延びている。
【００１５】
外枠２４は、上部横板３０、下部横板３２及び二枚の外側縦板３４から構成される。この外枠２４は、通し口３６を備えている。この通し口３６は、一方の外側縦板３４の上部横板３０の側と、他方の外側縦板３４の下部横板３２の側とに配置されている。この通し口３６は、この本体プレート２０の外側とスリット２６との間に位置している。作業ベルト４は、この通し口３６を通じてスリット２６に挿入されうる。なお、通し口３６に面する外側縦板３４の端面３８は、丸められている。
【００１６】
この外側縦板３４は、通し口３６の一方の側に誘導プレート４０と、その他方の側に保持プレート４２とを備えている。この工具差し１８において、誘導プレート４０の長さは、保持プレート４２よりも短い。なお、誘導プレート４０と保持プレート４２とが同じ長さとされてもよい。作業ベルト４は、誘導プレート４０の側から保持プレート４２の側に向かう方向に、この通し口３６を通じてスリット２６に挿入される。作業ベルト４が挿入されうるのであれば、作業ベルト４が、保持プレート４２の側から誘導プレート４０の側に向かう方向に、この通し口３６を通じてスリット２６に挿入されてもよい。
【００１７】
この工具差し１８において、掛吊部２２はリング４４からなる。このリング４４に、ハンマー６等の柄１４が挿通される。このリング４４は、溶接によって本体プレート２０と接合されている。リング４４と本体プレート２０とが溶接で接合されているので、工具が掛けられて吊されてもこのリング４４と本体プレート２０とは外れない。このリング４４と本体プレート２０との接合は、確実である。なお、このリング４４にフランジが備えられることにより、リベット止め、ボルト止め等の方法で、このリング４４と本体プレート２０とが接合されてもよい。なお、この掛吊部２２は、二以上のリングの組み合わせ、筒とリングとの組み合わせ、カラビナ又はフックから形成されてもよい。
【００１８】
図２は、図１の工具差し１８の側面図である。この図２において、両矢印線ＷＡは、通し口３６の開口幅を表している。この開口幅ＷＡは、３ｍｍ以上２０ｍｍ以下であるのが好ましい。この開口幅ＷＡが３ｍｍ以上に設定されることにより、作業ベルト４のスリット２６への挿入性は向上する。この観点から、この開口幅ＷＡは５ｍｍ以上が好ましく、７ｍｍ以上が特に好ましい。この開口幅ＷＡが２０ｍｍ以下に設定されることにより、作業ベルト４のスリット２６からの不用意な抜けが防止される。この観点から、この開口幅ＷＡは１８ｍｍ以下が好ましく、１６ｍｍ以下が特に好ましい。
【００１９】
図３は、図１の工具差し１８が作業ベルト４とハンマー６と共に示された斜視図である。この工具差し１８の作業ベルト４への装着方法は、次の通りである。まず、工具差し１８が、掛吊部２２が外側にされて、作業ベルト４にあてがわれる。次いで、一方の通し口３６を通じて、作業ベルト４がスリット２６に挿入される。その後、作業ベルト４は、他方の通し口３６を通じて別のスリット２６に挿入される。このようにして、工具差し１８は作業ベルト４に装着される。作業ベルト４がこの通し口３６を通じてスリット２６に挿入されるので、この工具差し１８は、作業ベルト４が腰から外されることなく、作業ベルト４に装着されうる。通し口３６に面する外側縦板３４の端面３８が丸められているので、作業ベルト４のスリット２６への挿入は容易である。この工具差し１８の追加及び変更は、簡単である。なお、この工具差し１８が作業ベルト４と作業着の間に差し込まれてから、この作業ベルト４に装着されてもよい。
【００２０】
工具差し１８は、通常は、金属材料、合成樹脂材料等から構成される。好ましい金属材料としては、アルミニウム合金、スチール、ステンレススチールが例示される。耐食性の観点から、アルミニウム合金又はステンレススチールが好ましい。軽量化の観点から、アルミニウム合金が好ましい。耐食性向上の目的で、工具差し１８の表面にメッキ、塗装等の表面処理が施されてもよい。
【００２１】
図４は、本考案の他の実施形態に係る工具差し４６に備えられる本体プレート４８が示された正面図である。この本体プレート４８も、上部横板５０、下部横板５２及び二枚の外側縦板５４からなる外枠５６と、二本のスリット５８と、中央縦板６０とを備えている。この外枠５６も、通し口６２を備えている。図示されていないが、図１で示された工具差し１８と同様の掛吊部が、この下部横板５２に備えられる。
【００２２】
通し口６２は、一方の外側縦板５４の上部横板５０の側と、他方の外側縦板５４の下部横板５２の側とに位置している。この通し口６２も、この本体プレート４８の外側とスリット５８との間に位置している。作業ベルト４は、この通し口６２を通じてスリット５８に挿入されうる。この工具差し４６も、作業ベルト４が腰から外されることなく、作業ベルト４に装着できる。作業中における工具差し４６の追加及び変更は容易である。
【００２３】
この通し口６２に面する外側縦板５４の端面６４は、工具差し４６の上から下に向かって斜めに切断された形状を呈している。通し口６２がこのような形状とされている工具差し４６では、この通し口６２を通じてスリット５８に挿入された作業ベルト４は抜けにくい。
【００２４】
図５は、本考案のさらに他の実施形態に係る工具差し６６に備えられる本体プレート６８が示された正面図である。この本体プレート６８も、上部横板７０、下部横板７２及び二枚の外側縦板７４からなる外枠７６と、二本のスリット７８と、中央縦板８０とを備えている。この外枠７６も、通し口８２を備えている。図示されていないが、図１で示された工具差し１８と同様の掛吊部が、この下部横板７２に備えられる。
【００２５】
通し口８２は、上部横板７０の一方の外側縦板７４の側と、下部横板７２の他方の外側縦板７４の側とに位置している。この通し口８２も、この本体プレート６８の外側とスリット７８との間に位置している。作業ベルト４は、この通し口８２を通じてスリット７８に挿入されうる。この工具差し６６も、作業ベルト４が腰から外されることなく、作業ベルト４に装着できる。作業中における工具差し６６の追加及び変更は容易である。
【００２６】
図６は、本考案のさらに他の実施形態に係る工具差し８４に備えられる本体プレート８６が示された正面図である。この本体プレート８６は、上部横板８８、下部横板９０及び二枚の外側縦板９２からなる外枠９４と、四本のスリット９６と、三本の中央縦板９８とを備えている。この外枠９４も、通し口１００を備えている。図示されていないが、図１で示された工具差し１８と同様の掛吊部が、この下部横板９０に備えられる。
【００２７】
通し口１００は、一方の外側縦板９２の上部横板８８の側と、他方の外側縦板９２の下部横板９０の側とに位置している。この通し口１００も、この本体プレート８６の外側とスリット９６との間に位置している。作業ベルト４は、この通し口１００を通じてスリット９６に挿入されうる。この工具差し８４も、作業ベルト４が腰から外されることなく、作業ベルト４に装着できる。作業中における工具差し８４の追加及び変更は容易である。
【００２８】
この工具差し８４では、中央に位置する二本のスリット９６には、通し口１００が備えられていない。したがって、この工具差し８４は、作業途中における工具差し８４の追加及び変更が考慮された使い方以外に、この通し口１００の備えられていないスリット９６が用いられることで、工具差し８４の作業ベルト４からの脱落防止が重視された使い方も実施されうる。
【００２９】
図７は、本考案のさらに他の実施形態に係る工具差し１０２に備えられる本体プレート１０４が示された正面図である。この本体プレート１０４は、上部横板１０６、下部横板１０８及び二枚の外側縦板１１０からなる外枠１１２と、三本のスリット１１４と、二本の中央縦板１１６とを備えている。この外枠１１２も、通し口１１８を備えている。図示されていないが、図１で示された工具差し１８と同様の掛吊部が、この下部横板１０８に備えられる。
【００３０】
通し口１１８は、下部横板１０８の一方の外側縦板１１０の側と他方の外側縦板１１０の側とに位置している。この通し口１１８も、この本体プレート１０４の外側とスリット１１４との間に位置している。作業ベルト４は、この通し口１１８を通じてスリット１１４に挿入されうる。この工具差し１０２は、作業ベルト４が腰から外されることなく、上から下に掛けられる要領で、作業ベルト４に装着される。この工具差し１０２においても、作業中における工具差し１０２の追加及び変更は容易である。
【００３１】
この工具差し１０２では、中央に位置するスリット１１４には、通し口１１８が備えられていない。したがって、この工具差し１０２は、作業中における工具差し１０２の追加及び変更が考慮された使い方以外に、この通し口１１８の備えられていないスリット１１４が用いられることで、工具差し１０２の作業ベルト４からの脱落防止が重視された使い方も実施されうる。
【００３２】
図８は、本考案のさらに他の実施形態に係る工具差し１２０の側面図である。この工具差し１２０は、本体プレート１２２と掛吊部１２４とを備えている。図示されていないが、この本体プレート１２２は、外枠１２６と、スリットと、中央縦板とを備えている。この外枠１２６に備えられる外側縦板１２８に、通し口１３０が備えられている。この通し口１３０も、この本体プレート１２２の外側とスリットとの間に位置している。この外側縦板１２８において、通し口１３０の一方の側に位置するのが、誘導プレート１３２である。その他方の側に位置するのが、保持プレート１３４である。この工具差し１２０では、この誘導プレート１３２の長さは、保持プレート１３４よりも短い。作業ベルト４は、誘導プレート１３２側から保持プレート１３４側に向かって、通し口１３０を通じてスリットに挿入される。この工具差し１２０も、作業ベルト４が腰から外されることなく、作業ベルト４に装着できる。作業中における工具差し１２０の追加及び変更は容易である。なお、この掛吊部１２４は、リング１３６からなる。この掛吊部１２４は、図１で示された工具差し１８と同様に、二以上のリングの組み合わせ、筒とリングとの組み合わせ、カラビナ又はフックから形成されてもよい。
【００３３】
この工具差し１２０では、誘導プレート１３２は、反り形状を呈している。誘導プレート１３２が反り形状を呈しているので、作業ベルト４が容易にスリットに挿入されうる。作業ベルト４のスリットへの挿入性が優れているので、その通し口１３０の開口幅は、図１及び図２で示された工具差し１２０に備えられる通し口１３０に比べて小さくできる。通し口１３０の開口幅が小さくされた工具差し１２０では、この通し口１３０を通じてスリットに挿入された作業ベルト４は抜けにくくなる。なお、誘導プレート１３２ではなく保持プレート１３４が、反り形状を呈していてもよい。誘導プレート１３２と保持プレート１３４との両方が、反り形状を呈していてもよい。
【００３４】
図８において、両矢印線ＷＢは、通し口１３０に隣接する外側縦板１２８の反り高さを表している。両矢印線ＷＣは、この通し口１３０の開口幅を表している。この反り高さＷＢは、０．１ｍｍ以上５．０ｍｍ以下であるのが好ましい。この反り高さＷＢが０．１ｍｍ以上に設定されることにより、作業ベルト４のスリットへの挿入性は向上する。この観点から、この反り高さＷＢは０．２ｍｍ以上がより好ましく、０．３ｍｍ以上が特に好ましい。この反り高さＷＢが５．０ｍｍ以下に設定されることにより、作業ベルト４のスリットからの不用意な抜けが防止される。この観点から、この反り高さＷＢは４．５ｍｍ以下がより好ましく、４．０ｍｍ以下が特に好ましい。
【００３５】
この開口幅ＷＣは、１ｍｍ以上２０ｍｍ以下である。この開口幅ＷＣが１ｍｍ以上に設定されることにより、作業ベルト４のスリットへの挿入性は向上する。この観点から、この開口幅ＷＣは、２ｍｍ以上が好ましく、３ｍｍ以上が特に好ましい。この開口幅ＷＣが２０ｍｍ以下に設定されることにより、作業ベルト４のスリットからの不用意な抜けが防止される。この観点から、この開口幅ＷＣは１８ｍｍ以下が好ましく、１６ｍｍ以下が特に好ましい。
【産業上の利用可能性】
【００３６】
本考案に係る工具差しは、作業で用いられる工具以外に、携帯電話のような日用携行品の携帯にも用いられうる。
【図面の簡単な説明】
【００３７】
【図１】図１は、本考案の一実施形態に係る工具差しが示された斜視図である。
【図２】図２は、図１の工具差しの側面図である。
【図３】図３は、図１の工具差しが作業ベルトとハンマーと共に示された斜視図である。
【図４】図４は、本考案の他の実施形態に係る工具差しに備えられる本体プレートが示された正面図である。
【図５】図５は、本考案のさらに他の実施形態に係る工具差しに備えられる本体プレートが示された正面図である。
【図６】図６は、本考案のさらに他の実施形態に係る工具差しに備えられる本体プレートが示された正面図である。
【図７】図７は、本考案のさらに他の実施形態に係る工具差しに備えられる本体プレートが示された正面図である。
【図８】図８は、本考案のさらに他の実施形態に係る工具差しの側面図である。
【図９】図９は、従来の工具差しが作業ベルト及びハンマーと共に示された斜視図である。
【符号の説明】
【００３８】
２、１８、４６、６６、８４、１０２、１２０・・・工具差し
４・・・作業ベルト
６・・・ハンマー
８、２０、４８、６８、８６、１０４、１２２・・・本体プレート
１０、４４、１３６・・・リング
１２、２６、５８、７８、９６、１１４・・・スリット
１４・・・柄
１６・・・ヘッド
２２、１２４・・・掛吊部
２４、５６、７６、９４、１１２、１２６・・・外枠
２８、６０、８０、９８、１１６・・・中央縦板
３０、５０、７０、８８、１０６・・・上部横板
３２、５２、７２、９０、１０８・・・下部横板
３４、５４、７４、９２、１１０、１２８・・・外側縦板
３６、６２、８２、１００、１１８、１３０・・・通し口
３８、６４・・・端面
４０、１３２・・・誘導プレート
４２、１３４・・・保持プレート
【図１】
0003110955.tif 000003
【図２】
0003110955.tif 000004
【図３】
0003110955.tif 000005
【図４】
0003110955.tif 000006
【図５】
0003110955.tif 000007
【図６】
0003110955.tif 000008
【図７】
0003110955.tif 000009
【図８】
0003110955.tif 000010
【図９】
0003110955.tif 000011